(57)【特許請求の範囲】
【請求項１】
円板状体を積載する複数のバケット体を屈曲自在に連結させて搬送ループを形成し、該搬送ループを直線部分と屈曲部分とが生じるように掛け渡して周回させることで前記円板状体を搬送する円板状体搬送装置において、
前記バケット体は、搬送ループの外側を臨む積載部と、隣りのバケット体との連結部を越えて前記搬送ループの外側から前記隣りのバケット体の前記積載部を臨む位置へ延伸された腕部とを備え、
前記直線部分では前記腕部と隣りのバケット体の前記積載部との間に円板状体を前記腕部が前記搬送ループの外側から押圧して挟持し、前記屈曲部分では前記積載部から前記腕部が前記搬送ループの外側へ離れて、前記挟持の開放と前記積載部と前記腕部との間への円板状体の受け入れとが可能な状態が形成される
ことを特徴とする円板状体搬送装置。
【請求項２】
前記積載部に貫通孔を設けた
ことを特徴とする請求項１に記載の円板状体搬送装置。
【請求項３】
前記積載部は、前記搬送ループの内側を臨む載置面を有する積載板と前記円板状体１枚の厚み分の隙間をあけて前記載置面に対向する支持面とを有して前記隙間に円板状体の搬送方向後方側端部を収容するポケット部を形成するものであり、
前記積載板には前記支持面を臨む挿通孔が開設されており、
前記腕部は、前記直線部分において隣りのバケット体の前記挿通孔を通じて、該隣りのバケット体の前記ポケット部に収容されている円板状体を前記支持面に向けて押圧する保持突起部を有する
ことを特徴とする請求項１または２に記載の円板状体搬送装置。
【請求項４】
前記載置面は、円板状体を前記隙間へ誘導するように傾斜している
ことを特徴とする請求項３に記載の円板状体搬送装置。
【請求項５】
前記バケット体は、前記搬送ループの内周面側で前記円板状体の受け入れおよび開放を行なう
ことを特徴とする請求項１、２、３または４に記載の円板状体搬送装置。
【請求項６】
前記バケット体による円板状体の搬送経路中に、前記円板状体を洗浄するための洗浄液が貯留された洗浄液槽と、該洗浄液槽を通過後の円板状体を乾燥させる乾燥機とを有する
ことを特徴とする請求項１、２、３、４または５に記載の円板状体搬送装置。
【請求項７】
前記バケット体は、２枚以上の円板状体を重ならないように整列して積載可能に構成されている
ことを特徴とする請求項１、２、３、４、５または６に記載の円板状体搬送装置。
【発明の詳細な説明】
【技術分野】
【０００１】
本発明は、スロットマシンの遊技に使用されるメダルなどの円板状体を搬送する円板状体搬送装置に関する。
【背景技術】
【０００２】
従来、この種の搬送装置としては、容器状のバケットを、多数、無端チェーン状に連結し、各バケットの中に複数のメダルを入れて搬送するものがある（たとえば、特許文献１参照。）。
【０００３】
また、無端チェーンの外側に、該チェーンの周回方向に沿った平面部を有する移送体を連続的に固定し、各移送体の平面部に、該平面部を左右に分ける分離壁とメダルの下端を載せる横桟とを設け、左右を側壁で挟まれた経路の間を、各移送体を上り傾斜で移動させ、横桟に下端を載せた状態でメダルを揚送するようにした搬送装置がある（たとえば、特許文献２参照。）。この搬送装置では、横桟を平面部の左右両端に向けて下り傾斜に形成してあり、側壁が途絶えた箇所でメダルを左右へ排出するようになっている。また、搬送経路の一部を洗浄槽に通すと共に、その下流に温風乾燥機を配置し、メダルの洗浄と乾燥とを搬送中に行なうように構成されている。
【０００４】
【特許文献１】実開平１−１０６４１１号公報
【特許文献２】特開平４−６１８７６号公報
【発明の開示】
【発明が解決しようとする課題】
【０００５】
特許文献２に開示された搬送装置のように、メダルの下端を横桟に載せた状態で上り傾斜の搬送路を揚送する場合、メダルの落下を防止するためには、搬送路の左右に側壁を設けたり、メダルの前面を覆う前面カバーを搬送路に沿って設けたりするなどの措置を必要とし、搬送装置の構成が複雑になってしまう。
【０００６】
また、メダルを横桟に載せるためには、メダルを予め整列させておく必要があると共に、メダルが変形している場合やΦ２５やΦ３０といった異径のメダルが混在した場合には、横桟に載せることが難しい。
【０００７】
さらに、前面カバーを設置していない箇所ではメダルを鉛直に搬送できず、搬送路の上り傾斜を緩やかにしなければならないので、搬送装置の設置スペースが大きくなる。また、横桟に載せて搬送したメダルを左右へ排出するように構成されているので、横一列には２つのメダルしか並べて搬送することができず、大きな搬送能力の確保が難しいという問題もある。
【０００８】
一方、容器状のバケットにメダルを複数枚入れて搬送する装置の場合、搬送能力は大きいが、搬送経路を洗浄液の中に通すと、バケットの中に洗浄液が溜まって重くなり、搬送装置の駆動部などに大きな負荷がかかってしまう。また、洗浄液を排出できたとしても、バケットの中でメダルが重なることもあり、バケットの中のメダルを搬送中に温風乾燥させることは難しい。
【０００９】
本発明は、上記の問題を解決しようとするものであり、大きな搬送能力の確保が可能で、しかも設置スペースが小さく、異径メダルが混在した場合や変形メダルでも搬送することができ、メダルの洗浄中に搬送装置の駆動部に負荷をかけずに済み、さらにメダルの乾燥を行うのに適した円板状体搬送装置を提供することを目的とするものである。
【課題を解決するための手段】
【００１０】
請求項１に係わる発明は、円板状体（４）を積載する複数のバケット体（３０）を屈曲自在に連結させて搬送ループ（１１）を形成し、該搬送ループ（１１）を直線部分と屈曲部分とが生じるように掛け渡して周回させることで前記円板状体（４）を搬送する円板状体搬送装置（１０）において、
前記バケット体（３０）は、前記搬送ループ（１１）の外側を臨む積載部と、隣りのバケット体との連結部（３３）を越えて前記搬送ループ（１１）の外側から前記隣りのバケット体の前記積載部を臨む位置へ延伸された腕部（３６）とを備え、
前記直線部分では前記腕部（３６）と隣りのバケット体の前記積載部との間に円板状体（４）を前記腕部（３６）が前記搬送ループ（１１）の外側から押圧して挟持し、前記屈曲部分では前記積載部から前記腕部（３６）が前記搬送ループ（１１）の外側へ離れて、前記挟持の開放と前記積載部と前記腕部（３６）との間への円板状体（４）の受け入れとが可能な状態が形成される
ことを特徴とする円板状体搬送装置（１０）である。
【００１１】
上記発明によれば、周回する搬送ループ（１１）状の搬送経路の直線部分においては、バケット体（３０）の積載部に積載された円板状体（４）が隣りのバケット体で挟持される。また、搬送経路の屈曲部分では、挟持されていた円板状体（４）の開放および積載部への円板状体（４）の受け入れ可能な状態が形成される。
【００１３】
すなわち、周回する搬送ループ（１１）状の搬送経路の直線部分においては、バケット体（３０）の積載部に積載された円板状体（４）が隣りのバケット体から延設された腕部（３６）によって挟持される。また、搬送経路の屈曲部分では、隣りのバケット体の腕部（３６）が外側へと離れるので、挟持されていた円板状体（４）の開放および積載部への円板状体（４）の受け入れ可能な状態が形成される。
【００１４】
請求項２に係わる発明は、前記積載部に貫通孔（３１、３４ａ、３６ｂ）を設けた
ことを特徴とする請求項１に記載の円板状体搬送装置（１０）である。
【００１５】
上記発明によれば、積載部に挟持された円板状体（４）に対して、貫通孔（３１、３４ａ、３６ｂ）を通じてエアを吹き付けることが可能になり、洗浄された円板状体（４）の乾燥が容易になる。
【００１６】
請求項３に係わる発明は、前記積載部は、前記搬送ループ（１１）の内側を臨む載置面（３２ａ）を有する積載板（３２）と、前記円板状体（４）１枚の厚み分の隙間をあけて前記載置面に対応する支持面とを有して前記隙間に円板状体（４）の搬送方向後方側端部を収容するポケット部を形成するものであり、
前記積載板（３２）には前記支持面を臨む挿通孔（３１ａ）が開設されており、
前記腕部（３６）は、前記直線部分において隣りのバケット体の前記挿通孔（３１ａ）を通じて、該隣りのバケット体（３０）の前記ポケット部に収容されている円板状体（４）を前記支持面に向けて押圧する保持突起部（３６ａ）を有する
ことを特徴とする請求項１または２に記載の円板状体搬送装置（１０）である。
【００１７】
上記発明によれば、搬送ループ（１１）の内側を臨む載置面（３２ａ）に設けられたポケット部（３４）に円板状体（４）の搬送方向後端部が収容される。搬送経路の直線部分においては、該ポケット部（３４）に収容された円板状体（４）は、載置面（３２ａ）に開設された挿通孔（３１ａ）を通じて、隣りのバケット体（３０）の腕部（３６）の保持突起部（３６ａ）によって押圧されて保持される。
【００１８】
請求項４に係わる発明は、前記載置面（３２ａ）は、円板状体（４）を前記隙間へ誘導するように傾斜している
ことを特徴とする請求項３に記載の円板状体搬送装置（１０）である。
【００１９】
上記発明によれば、載置面（３２ａ）上に投入された円板状体（４）は、載置面（３２ａ）の傾斜に沿って隙間（ポケット部）の中へ誘導される。
【００２０】
請求項５に係わる発明は、前記バケット体（３０）は、前記搬送ループ（１１）の内周面側で前記円板状体（４）の受け入れおよび開放を行なう
ことを特徴とする請求項１、２、３または４に記載の円板状体搬送装置（１０）である。
【００２１】
上記発明によれば、複数のバケットを連結させた搬送ループ（１１）の内側で円板状体（４）の受け入れおよび開放を行なうので、円板状体（４）の受け入れ部や開放された円板状体（４）の受け止め部などを搬送ループ（１１）の内側に配置して装置を小型化することができる。
【００２２】
請求項６に係わる発明は、前記バケット体（３０）による円板状体（４）の搬送経路中に、前記円板状体（４）を洗浄するための洗浄液が貯留された洗浄液槽（１７）と、該洗浄液槽（１７）を通過後の円板状体（４）を乾燥させる乾燥機（２４、２５）とを有する
ことを特徴とする請求項１、２、３、４または５に記載の円板状体搬送装置（１０）である。
【００２３】
上記発明によれば、円板状体（４）は搬送中に洗浄され、乾燥される。
【００２４】
請求項７に係わる発明は、前記バケット体は、２枚以上の円板状体（４）を重ならないように整列して積載可能に構成されている
ことを特徴とする請求項１、２、３、４、５または６に記載の円板状体搬送装置（１０）である。
【００２５】
上記発明では、２枚以上の円板状体（４）を整列しているので、多量の円板状体を搬送することができるとともに、重ねなくて済むので乾燥し易くすることができる。
【発明の効果】
【００２６】
本発明に係わる円板状体搬送装置によれば、直線部分では円板状体を挟持し、屈曲部分では円板状体の挟持の開放または円板状体の受け入れ可能な状態が形成される。これにより、直線部分では円板状体が落下せず、落下防止のためのカバーや側壁などが不要になって装置構成が簡略化される。また、挟持により円板状体が落下しないので直線部分の搬送経路を鉛直に設けることができ、装置の小型化と設置スペースの削減を図ることができる。
【００２７】
また、円板状体を挟持することにより搬送しているので、異径の円板状体が混在した場合や変形した円板状体でも搬送することができ、一遍に多数の円板状体を搬送することができる。
【００２８】
さらに、円板状体の洗浄中に搬送装置の駆動部に負荷をかけずに済み、円板状体の乾燥を行ないやすいという効果がある。
【発明を実施するための最良の形態】
【００２９】
以下、図面に基づき本発明の実施の形態を説明する。
【００３０】
図１は本発明の実施の形態に係わる円板状体搬送装置１０の正面の構造を示し、図２は円板状体搬送装置１０の側面の構造を示している。円板状体搬送装置１０は、スロットマシンなどの遊技機が並設された遊技機島において、遊技に使用されたメダルなどの円板状体(以後、メダルを例に説明する。)を遊技機島の下部から上部へ搬送（揚送）すると共に、搬送中にメダルを洗浄して乾燥する装置である。
【００３１】
円板状体搬送装置１０は、メダルを積載する複数のバケット体３０を屈曲自在に連結させて無端の搬送ループ１１を形成し、該搬送ループ１１を、当該装置１０の上部に設置した駆動ローラ１２と、下部に配置した従動ローラ１３および第１テンションローラ１４とに掛け渡してある。図２などに示すように、各ローラ１２、１３、１４、１５は、回転軸Ｓの両端近傍に大径ローラＰ（図２では駆動ローラ１２にのみ符号Ｓ、Ｐを記載。）を設けて構成され、該大径ローラＰでバケット体３０の左右両端のみを支持するようになっている。
【００３２】
図１に示すように、第１テンションローラ１４は駆動ローラ１２の真下にあり、従動ローラ１３は第１テンションローラ１４の斜め下方に配置してあり、駆動ローラ１２から従動ローラ１３にかけての搬送経路が途中まで鉛直となるように第２テンションローラ１５で搬送ループ１１をループの外側から内側へ向けて付勢してあり、搬送ループ１１は全体として略Ｊ字状のループを形成している。駆動ローラ１２はリフトモータ１６によって回転駆動され、これに伴い搬送ループ１１は図１の矢印Ａの示す方向（従動ローラ１３→第１テンションローラ１４→駆動ローラ１２の順に通るように）に周回する。
【００３３】
円板状体搬送装置１０は下部に洗浄液槽１７と、該洗浄液槽１７を上下に移動させる洗浄液槽昇降機１８とを備えており、洗浄液槽１７を上位置に上昇させたとき搬送ループ１１の下端部が洗浄液槽１７の中に浸かるように構成されている。また、上昇した洗浄液槽１７内の洗浄液に浸かるように超音波振動子１９が設置してあり、洗浄液中で超音波洗浄が行なわれるようになっている。なお、洗浄液の交換は洗浄液槽１７を下位置に下降させた後、洗浄液槽１７を取り外すなどして行なわれる。
【００３４】
搬送ループ１１は、従動ローラ１３から第１テンションローラ１４にかけて僅かに上り傾斜した搬送経路を成しており、該部分における搬送ループ１１の内側に、回収路３の端部から落下したメダルを受け止める受入板２１を設置してある。また作業員がメダルを投入するための投入部２２が設けてあり(図２参照)、該投入部２２から投入されたメダルは受入板２１へ落下するように案内される。受入板２１は従動ローラ１３に向かって下り傾斜しており、受入板２１の下端から落下したメダルが丁度、搬送ループ１１が従動ローラ１３に沿って屈曲している箇所１１ａへ案内されるようになっている。該箇所は、メダルの受け入れ箇所１１ａとなっており、受入板２１からのメダルがバケット体３０に収容され保持される。
【００３５】
駆動ローラ１２に沿って搬送ループ１１が屈曲する部分の内側は、バケット体３０からメダルが開放されて落下する開放箇所１１ｂになっており、該開放箇所１１ｂの下方（搬送ループ１１の内側で駆動ローラ１２の直ぐ下方）には、バケット体３０から開放されて離脱したメダル４を受け止めて本装置外へ排出する排出部２３が設けてある。
【００３６】
第１テンションローラ１４から駆動ローラ１２へ向かう搬送経路の途中には、搬送経路を構成するバケット体３０をループの内外から挟むようにして乾燥部２４が配置されている。乾燥部２４はブロワ２５から送り込まれるエアを搬送中のメダル４に吹き付けて乾燥させるようになっている。
【００３７】
このほか円板状体搬送装置１０は、洗浄液槽１７の液面レベルを検知する液面センサ２６や円板状体搬送装置１０の各部の動作を制御する制御部２７を備えている。なお、図中には、洗浄液槽１７における液面上限レベルＨと、液面下限レベルＬとを破線で表示してある。
【００３８】
次に、バケット体３０の構造および作用について説明する。
【００３９】
図３は３個連設されたバケット体３０の正面（搬送ループ１１を内側から見た状態）を、図４は直線部分におけるバケット体３０の断面を、図５は屈曲部分におけるバケット体３０の断面をそれぞれ示している。図４、図５においてバケット体３０の右側は搬送ループ１１の内側ＩＮに、バケット体３０の左側は搬送ループ１１の外側ＯＵＴになっている。
【００４０】
各バケット体３０は、横一列にメダル４を４個積載可能になっている。バケット体３０はメダル４が載置される横長矩形の平板に通風用の貫通孔３１が開設された積載板３２を備え、隣り合うバケット体３０は連結部３３に通した連結シャフト３３ａで屈曲自在に連結される。バケット体３０はサイズの異なる複数種類のメダル４を載置可能になっており、大きな貫通孔３１ａは大径のメダル４ａ（たとえば、Φ３０のメダル、５００円硬貨など）と小径のメダル４ｂ（たとえば、Φ２５のメダル、１００円硬貨など）とに共通する通風孔であり、貫通孔３１ａの上部に沿って複数開設した小径の貫通孔３１ｂは、大径のメダルのために増設された通風孔である。
【００４１】
積載板３２のうち搬送ループ１１の内側となる面はメダル４が積載される載置面３２ａを成しており、該載置面３２ａの搬送方向後端部には、メダル４の一端部を収容するためのポケット部３４が形成されている。ポケット部３４は載置面３２ａとの間にメダル４の１枚分の厚みの隙間を形成しており、各ポケット部３４に１枚のメダル４が収容されるようになっている。
【００４２】
また、バケット体３０には、搬送ループ１１の外側において連結部３３を越えて、搬送方向前方側に隣接するバケット体３０へと延伸された腕部３６を有している。該腕部３６の先端には、隣接するバケット体３０のポケット部３４に収容されたメダル４を、貫通孔３１ａを通じて搬送ループ１１の外側から押圧するための保持突起部３６ａが設けてある。貫通孔３１ａは、通風孔としての機能のほかに、腕部３６の保持突起部３６ａを通す挿通孔としての機能を兼ねる。なお、ポケット部３４には通風用の貫通孔３４ａが、腕部３６には同じく通風用の貫通孔３６ｂが開設してある。
【００４３】
搬送ループ１１中の直線部分では、図４に示すように、腕部３６の保持突起部３６ａが隣りのバケット体３０のポケット部３４に収容されているメダル４を該ポケット部３４との間で挟持する。これにより、直線部分では、搬送経路が鉛直となってもバケット体３０からメダル４が落下することなく保持される。
【００４４】
一方、搬送ループ１１中の屈曲部分では、図５に示すように、腕部３６の保持突起部３６ａが隣りのバケット体３０の積載板３２から搬送ループ１１の外側へ離れるので、挟持されていたメダル４の開放と、ポケット部３４への新たなメダル４の受け入れが可能な状態が形成される。
【００４５】
次に、円板状体搬送装置１０で搬送されるメダル４の受け入れから開放までの流れと作用について説明する。
【００４６】
回収路３から受入板２１へ落下したメダル４は従動ローラ１３内方の受け入れ箇所１１ａへ案内される。受け入れ箇所１１ａは図５に示すように搬送ループ１１が屈曲する部分なので、受け入れ箇所１１ａへ案内されてきたメダル４はバケット体３０のポケット部３４に収容される。また、第１テンションローラ１４から従動ローラ１３に向かう搬送経路は僅かに下り傾斜しているので（図１参照）、受入板２１から落下したメダル４は、該下り傾斜に沿って受け入れ箇所１１ａへ移動して、自然にポケット部３４へ収容される。
【００４７】
また、ポケット部３４は載置面３２ａとの間にメダル１枚分の厚みの隙間を有するように形成されているので、受入板２１から落下したメダル４が受け入れ箇所１１ａの近傍で積み重なる状態にあっても、各バケット体３０のポケット部３４へ１枚ずつメダル４が自然に収容される。すなわち、メダル４を１枚ずつ整列させるための整列機構を別途設ける必要がなく、装置構成が簡略化される。
【００４８】
また、搬送ループ１１の内側でメダル４を受け入れるので、受入板２１などを搬送ループ１１の内側に配置することができ、搬送ループ１１の内側のスペースが有効利用される。これにより、メダル４の受け入れを搬送ループ１１の外側で行なう場合に比べて、円板状体搬送装置１０の小型化を図ることができる。
【００４９】
また、搬送ループ１１の下端部分が洗浄液槽１７の中に浸かっているので、メダル４は該洗浄液槽１７の中の洗浄液および超音波振動子が発する超音波により洗浄される。バケット体３０には洗浄液の溜まる部分がないので（ポケット部３４にも貫通孔３４ａが開設されている）、メダル４を容器に入れて搬送するタイプの搬送装置と異なり、容器に溜まった洗浄液ごと搬送するようなことがなく、リフトモータ１６などに必要以上の負荷がかからず、円板状体搬送装置１０の劣化が防止される。
【００５０】
受け入れ箇所１１ａにおいてメダル４をポケット部３４に収容したバケット体３０は第１テンションローラ１４を経た後、駆動ローラ１２に向けてほぼ鉛直に上昇する。この部分の搬送経路はほぼ直線になっているので、図４に示すように搬送中のメダル４が保持突起部３６ａにより挟持されて落下することはない。すなわち、単に、横桟にメダル４を載せて搬送する場合と異なり、挟持した状態でメダル４を搬送するのでメダル４が落下せず、搬送経路をほぼ鉛直に設置することができる。これにより、搬送経路を緩やかな上り傾斜に構成する場合と比べて、円板状体搬送装置１０が、特に下部において小型化され、設置面積を少なくすることができる。また、落下を防止するための囲いやガイドレールなども不要になり、装置構成が簡略化される。
【００５１】
搬送中のメダルは乾燥部２４の間を通過する際に乾燥される。このとき、バケット体３０の積載板３２に多くの貫通孔３１、３４ａ、３６ｂを開設してあるので、乾燥部２４からのエアがメダル４の表裏面によく当たり、乾燥が促進される。
【００５２】
なお、鉛直に搬送される間は、図４に示すように積載板３２が僅かに下向きに傾斜した状態になる。これにより、仮にポケット部３４の縁に引っ掛かるようにして余分なメダル４が積載されていても、鉛直に上昇する経路に入ると直ぐに落下し、やがて受け入れ部１１ａへ至り、他のバケット体３０にきちんと収容されるようになっている。
【００５３】
搬送ループ１１の上部まで搬送されてきたメダル４は、搬送ループ１１が駆動ローラ１２に沿って屈曲する部分（開放箇所１１ｂ）で図５に示すように開放されて自然落下し、排出部２３から本装置外へ排出される。開放箇所１１ｂを搬送ループ１１の内側に設けているので、搬送ループ１１の内側のスペースを有効利用でき、搬送ループ１１の外側へメダル４を開放する場合に比べて円板状体搬送装置１０を小型化することができる。
【００５４】
なお、１つのバケット体３０で４個のメダル４を横一列に重ならないように整列させて搬送するようにしたため、メダル４を乾燥し易くすることができる。また、メダル４を横一列に並べる数を増やすことで、円板状体搬送装置１０の搬送能力を増大させることができる。
【００５５】
以上、本発明の実施の形態を図面によって説明してきたが、具体的な構成は実施の形態に示したものに限られるものではなく、本発明の要旨を逸脱しない範囲における変更や追加があっても本発明に含まれる。
【００５６】
たとえば、円板状体としてスロットマシンのメダルを例に説明したが、円板状の形状を有するものであれば、メダルに限定されるものではない。
【００５７】
実施の形態では、円板状体を搬送ループの内側に積載し、搬送ループの内側で円板状体の受け入れおよび開放を行なうようにしたが、搬送ループの外側に円板状体を積載するものであってもよい。
【００５８】
実施の形態では４個のメダルを横一列に積載するバケット体３０を例示したが、横一列に積載するメダルの個数は最小１個でも４個より多くてもよく、また、メダルを重ならないように整列できるのであれば横一列に限定されるものではなく、縦列、斜列、これらの組み合わせ、複数列でもかまわない。
【図面の簡単な説明】
【００５９】
【図１】本発明の実施の形態に係わる円板状体搬送装置の正面からの構造を示す説明図である。
【図２】本発明の実施の形態に係わる円板状体搬送装置の側面からの構造を示す説明図である。
【図３】連結された状態のバケット体を示す正面図である。
【図４】直線部分でバケット体がメダルを挟持している状態を示す説明図である。
【図５】屈曲部分でのバケット体の状態を示す説明図である。
【符号の説明】
【００６０】
３…回収路
４…メダル
４ａ…大径のメダル
４ｂ…小径のメダル
１０…円板状体搬送装置
１１…搬送ループ
１１ａ…受け入れ箇所
１１ｂ…開放箇所
１２…駆動ローラ
１３…従動ローラ
１４…第１テンションローラ
１５…第２テンションローラ
１６…リフトモータ
１７…洗浄液槽
１８…洗浄液槽昇降機
１９…超音波振動子
２１…受入板
２２…投入部
２３…排出部
２４…乾燥部
２５…ブロワ
２６…液面センサ
２７…制御部
３０…バケット体
３１、３１ａ、３１ｂ…貫通孔
３２…積載板
３２ａ…載置面
３３…連結部
３３ａ…連結シャフト
３４…ポケット部
３４ａ…貫通孔
３６…腕部
３６ａ…保持突起部
３６ｂ…貫通孔
【図１】
0004407960.tif 000002
【図２】
0004407960.tif 000003
【図３】
0004407960.tif 000004
【図４】
0004407960.tif 000005
【図５】
0004407960.tif 000006